(57)【特許請求の範囲】
【請求項１】
左右１対の縦杆の各端部同士を、横杆をもって互いに連結してなる矩形枠状のフレームの前後の両側面に、パネル基材の外周を、左右の縦サッシと上下部サッシとにより囲繞してなる枠付パネルと、パネル基材の上下縁を裏側に折曲してなる化粧パネルとを、上下に並べて装着してなる間仕切パネルにおいて、
前記化粧パネルのパネル基材における枠付パネルに隣接する上下いずれかの縁に、上下方向外向きの係止片を連設し、この化粧パネルに隣接する前記枠付パネルにおける上下部のいずれかのサッシに、前記係止片が係合することにより、化粧パネルと枠付パネルとの前後方向の相対移動を阻止するようにした係合溝を設けたことを特徴とする間仕切パネル。
【請求項２】
係合溝を設けた上下部のいずれかのサッシに、化粧パネルの裏面に当接する当接面を設けた請求項１記載の間仕切パネル。
【請求項３】
係合溝を設けた上下部のいずれかのサッシを、パネル基材の縁部が嵌合されたサッシ部と、このサッシ部１６ａの内側に連設され、かつフレームの内方に突出し、中間部横桟として機能するようにした横桟部とを備えるものとし、前記係合溝を、前記サッシ部と横桟部との結合部分に設けた請求項１または２記載の間仕切パネル。
【請求項４】
横桟部を、ほぼ中空角筒状とした請求項３記載の間仕切パネル。
【請求項５】
枠付パネルにおけるパネル基材を、透視可能の材料により形成し、かつ前後の枠付パネルにおける係合溝を設けた上下部のいずれかのサッシに、先端同士が突き合わされるか、又は近接するようにした横桟部を設けた請求項１〜４のいずれかに記載の間仕切パネル。
【請求項６】
フレームの上下の端部に、上下方向に並べた枠付パネルと化粧パネルとの最も外側の端部に当接し、それらの上下方向の移動を阻止する突片を設けた請求項１〜５のいずれかに記載の間仕切パネル。
【発明の詳細な説明】
【技術分野】
【０００１】
本発明は、オフィス等の室内を仕切る間仕切パネルに関する。
【背景技術】
【０００２】
従来、据付式の間仕切パネルや、天井に設けたレールに沿って移動しうるランナに、間仕切パネルを吊支し、間仕切パネルを、レールに沿って移動しうるようにした移動間仕切装置において、間仕切パネルの方形枠状のフレームの前後面に、複数のパネルを上下に並べて装着する際、フレームの中間部に、横桟(横フレーム)を架設し、そこに、上下のパネルの対向縁部を支持させるようにしている(例えば特許文献１参照)。
【特許文献１】特開２００７−２３４８２号公報
【発明の開示】
【発明が解決しようとする課題】
【０００３】
しかし、フレーム内に横桟を設けることは、構造が複雑化するとともに、部品点数および組み付け工数が増大し、結果として、製造コストが高くなる。
【０００４】
本発明は、従来の技術が有する上記のような問題に鑑み、フレームに横桟を設けることなく、その機能を、フレームの前後面に装着する枠付パネルに持たせることにより、部品点数を削減するとともに、組み付け工数を少なくし、もって製造コストを低減できるようにした間仕切パネルを提供することを目的としている。
【課題を解決するための手段】
【０００５】
本発明によると、上記課題は次のようにして解決される。
(１)  左右１対の縦杆の各端部同士を、横杆をもって互いに連結してなる矩形枠状のフレームの前後の両側面に、パネル基材の外周を、左右の縦サッシと上下部サッシとにより囲繞してなる枠付パネルと、パネル基材の上下縁を裏側に折曲してなる化粧パネルとを、上下に並べて装着してなる間仕切パネルにおいて、
前記化粧パネルのパネル基材における枠付パネルに隣接する上下いずれかの縁に、上下方向外向きの係止片を連設し、この化粧パネルに隣接する前記枠付パネルにおける上下部のいずれかのサッシに、前記係止片が係合することにより、化粧パネルと枠付パネルとの前後方向の相対移動を阻止するようにした係合溝を設ける。
【０００６】
(２)  上記(１)項において、係合溝を設けた上下部のいずれかのサッシに、化粧パネルの裏面に当接する当接面を設ける。
【０００７】
(３)  上記(１)または(２)項において、係合溝を設けた上下部のいずれかのサッシを、パネル基材の縁部が嵌合されたサッシ部と、このサッシ部１６ａの内側に連設され、かつフレームの内方に突出し、中間部横桟として機能するようにした横桟部とを備えるものとし、前記係合溝を、前記サッシ部と横桟部との結合部分に設ける。
【０００８】
(４)  上記(３)項において、横桟部を、ほぼ中空角筒状とする。
【０００９】
(５)  上記(１)〜(４)項のいずれかにおいて、枠付パネルにおけるパネル基材を、透視可能の材料により形成し、かつ前後の枠付パネルにおける係合溝を設けた上下部のいずれかのサッシに、先端同士が突き合わされるか、又は近接するようにした横桟部を設ける。
【００１０】
(６)  上記(１)〜(５)項のいずれかにおいて、フレームの上下の端部に、上下方向に並べた枠付パネルと化粧パネルとの最も外側の端部に当接し、それらの上下方向の移動を阻止する突片を設ける。
【発明の効果】
【００１１】
本発明によると、次のような効果を奏することができる。
請求項１記載の発明によると、化粧パネルに設けた係止片を、隣接する枠付パネルにおけるサッシに設けた係合溝に係合させることにより、化粧パネルと枠付パネルとを、横桟を設けることなく、互いに連結することができので、横桟を省略することができ、それによって、部品点数および組み付け工数の削減、並びに製造コストの低減を図ることができる。
【００１２】
請求項２記載の発明によると、係合溝を設けた上下部のいずれかのサッシに、化粧パネルの裏面に当接する当接面を設けてあるので、それによって、枠付パネルに対する化粧パネルの裏面方向への移動を阻止することができ、また、化粧パネルの係止片を、枠付パネルの係合溝に係合させることにより、枠付パネルに対する化粧パネルの表面方向への移動を阻止することができ、もって、枠付パネルに対する化粧パネルの前後両方向への移動を確実に阻止することができる。
【００１３】
請求項３記載の発明によると、枠付パネルのサッシに、中間部横桟として機能するようにした横桟部を一体的に設けてあるので、部品点数および組み付け工数の削減、並びに製造コストの低減を図ることができる。
しかも、係合溝を、サッシ部と横桟部との結合部分に設けてあるので、横桟部は、化粧パネルの背面側に隠され、外部に露呈することがなく、体裁がよい。
【００１４】
請求項４記載の発明によると、横桟部を、ほぼ中空角筒状としてあるので、横桟部の強度の向上を図ることができ、もって、枠付パネルと化粧パネルとの連結部分の撓みや係合部分の外れ等を確実に防止することができる。
【００１５】
請求項５記載の発明によると、枠付パネルにおける透視可能なパネル基材を通して、間仕切パネルにより仕切られた部屋間を互いに見通すことができるとともに、前後の枠付パネルにおける横桟部の先端同士が、互いに突き合わされるか、又は近接することにより、フレーム内における部品等が、透視可能なパネル基材を通して、露呈することが防止され、美麗な外観を呈することができる。
【００１６】
請求項６記載の発明によると、フレームの上下の端部に、上下方向に並べた枠付パネルと化粧パネルとの最も外側の端部に当接し、それらの上下方向の移動を阻止する突片を設けてあるので、枠付パネルおよび化粧パネルの上下方向の移動が確実に阻止される。
【発明を実施するための最良の形態】
【００１７】
以下、本発明の実施形態を、添付図面を参照して説明する。  
図１に示すように、この実施形態の間仕切パネル１は、室内の天井高さに応じた上下寸法としてあり、その上半部を、透明もしくは半透明の板ガラスもしくはアクリル板、またはそれらに模様を付したもの、網板、格子状板等よりなる透視可能の前後１対の枠付パネル２により構成し、下半部を、前後１対の鋼板製化粧パネル３により構成してあり、その上端部を、天井４の下面に固着したレール５に沿って移動する１対のランナ６、６に、吊りボルト７、７をもって吊支し、下端が床８の床面ＦＬに近接した状態で移動するようになっている。この間仕切パネル１の上半部の透視可能の枠付パネル２により、間仕切パネル１によって仕切られた両室内の視認性を確保するようにしてある。
【００１８】
ランナ６は、どのようなタイプのものでもよいが、この例では、図２に示すように、吊りボルト７の上端部に、スペーサ９を介して、上下に離して枢支した１対の水平ローラ１０、１１を備えるものとしてある。
上段のローラ１０は、下端が開口する下向きコ字状としたレール５の内面における中位部の一側より内向き突設したローラ受片５ａ上に、また、下段のローラ１１は、レール５の内面における下端部の他側より内向き突設したローラ受片５ｂ上に、それぞれ回転可能に支持されて、互いに逆方向に回転しつつ、レール５に沿って移動しうるようになっている。
【００１９】
間仕切パネル１の上下の端部には、間仕切パネル１の上端とレール５の下面との間、および間仕切パネル１の下端と床面ＦＬとの間の隙間を閉塞する隙間閉塞部材１２、１２が、上下方向に進退自在に設けられている。
なお、この隙間閉塞部材１２、１２を移動させる手段については、本発明に直接関係しないため、図示および詳細な説明は省略する。
【００２０】
上部の隙間閉塞部材１２と、それを移動させる手段と、上部の隙間閉塞部材１２を貫通して、間仕切パネル１を吊支する吊りボルト７の下端部との前後面と下端面とは、上方に向かって開口する側面視上向コ字状の遮蔽板１３により覆われており、透視可能の枠付パネル２を通して、それらの間仕切パネル１内の部品が外方から視認されることを防止している。
【００２１】
各枠付パネル２は、所要の縦横寸法に形成された板ガラス等の透視可能なパネル基材２ａと、パネル基材２ａの上縁を縁取る上部サッシ１４と、パネル基材２ａの左右の両側縁を縁取る１対の縦サッシ１５、１５と、パネル基材２ａの下縁を縁取る下部サッシ１６とを備えている。
すなわち、パネル基材２ａの外周を、左右の縦サッシ１５、１５、および上下部サッシ１４、１６をもって囲繞している。
【００２２】
下部サッシ１６は、化粧パネル３の上縁と接合するための連結具、前後の枠付パネル２、２の前後間隔を規制するスペーサ、および透視可能なパネル基材２ａ、２ａを通して、それらの下端より下方の間仕切パネル１の内部空間が視認されることを防止する遮蔽体、並びに中間部横桟等としての機能を有している。
【００２３】
図４に拡大して示すように、下部サッシ１６は、アルミニウム合金の押出し成形体からなり、パネル基材２ａの下縁をシール材１７を介して嵌め付けたサッシ部１６ａと、サッシ部１６ａの内側に一体化され、かつ互いに前後より突き合わされることにより、枠付パネル２、２同士の前後間隔を保持するほぼ中空角筒状の横桟部１６ｂとを備えている。
【００２４】
化粧パネル３は、薄鋼板製のパネル基材３ａの外周縁を裏面側に向けて直角に折曲して折曲片３ｂを形成するとともに、その内側のパネル基材３ａの裏面に、石膏ボード等からなる所定厚さの断熱材１８を固着し、さらに、上端の折曲片３ｂの遊端に、上向きの係止片３ｃを連設したものよりなり、この係止片３ｃを、枠付パネル２におけるサッシ部１６ａの下部と横桟部１６ｂとの間に形成した係合溝１６ｃに差し込み、かつ断熱材１８の裏面を、横桟部１６ｂの下部表面に形成した当接部１６ｄに当接させることにより、化粧パネル３の表面と、枠付パネル２の下部サッシ１６の前面とが整合するように、化粧パネル３と枠付パネル２との前後方向の相対移動を阻止するようにしてある。
【００２５】
図５は、上記間仕切パネル１を分解して示すものであり、左右１対の縦杆１９、１９の上下の端部同士を、横杆２０、２０により互いに連結した矩形枠状のフレーム２１の両面に、枠付パネル２および化粧パネル３のそれぞれを、左右１対の係止部材２２をもって位置決めして固定したものよりなっている。
枠付パネル２における横桟部１６ｂは、このフレーム２１における左右の縦杆１９、１９間に延在し、必要に応じて、横桟部１６ｂの両端を、左右の縦杆１９、１９の外側から適宜ねじ止め(図示略)することにより、正規の中間部横桟として機能する。
【００２６】
各縦杆１９は、アルミニウム合金の押出し成形体からなり、その側面には、複数のねじ挿通孔２３と上下方向に長い長孔２４との対が、その長手方向に沿って設けられている。
【００２７】
上方の横杆２０の上部及び下方の横杆２０の下部は、それぞれ上下外向きに開口し、そこに、隙間閉塞部材１２が上下動可能として収容されるようになっており、各開口の両縁には、枠付パネル２の上端および化粧パネル３の下端を取付るための前後外向きのフランジ２０ａ、２０ａが形成されている。
【００２８】
遮蔽板１３は、その前後の側片を、フレーム２１における上部の横杆２０の前後面に接着するか、または前後の側片の上端に設けた外向き突片(図示略)を、フランジ２０ａ、２０ａの下面に当接させて、枠付パネル２とともに、固定用ねじＢをもって、フランジ２０ａ、２０ａに固着してもよい。
【００２９】
各係止部材２２は、縦杆１９の内側に配設されるものであり、前後の側縁に複数対の上向きＬ字形のフック２５ａが一体に形成された縦長板材２５と、この板材２５の内側に沿って溶接等により一体化された平面視内向きコ字状の補強材２６とからなっており、この板材２５および補強材２６を貫通する固定用ねじ孔２７と移動操作用ねじ孔２８との対が、長手方向に沿って複数対設けられている。
これらの対は、縦杆１９に設けられた挿通孔２３と長孔２４の対に対応しており、長孔２４に移動操作用のボルト２９を挿通し、その先端部を係止部材２２のねじ孔２８に螺合して、移動操作用ボルト２９とともに係止部材２２を上下方向に移動させ、縦杆１９のねじ挿通孔２３と係止部材２２のねじ孔２７とが一致したことを目視により確認した上で、固定用ねじＢを、ねじ挿通孔２３を通して、ねじ孔２７に螺合することにより、係止部材２２の固定がなされる。
【００３０】
各係止部材２２のフック２５ａに対応して、枠付パネル２の縦サッシ１５の裏面、および化粧パネル３の裏面の両側部には、上下方向に長い長孔状の複数の係止孔３０が形成されており、フック２５ａが係止孔３０の上縁に係合した状態で、枠付パネル２および化粧パネル３の両側部の位置決め固定がなされるようになっている。
【００３１】
前後の枠付パネル２における左右の縦サッシ１５の裏面には、係止部材２２より内方において、互いに対向して、先端同士が突き合わされるか、又は近接するようにした遮蔽用の突片１５ａ、１５ａがそれぞれ設けられており、両突片１５ａ、１５ａにより、係止部材２２およびそのねじ結合部が内側より覆われるので、それらが透視可能なパネル基材２ａ、２ａを通して外部に露呈することがなく、美麗な外観を呈することができる。
【００３２】
上記間仕切パネル１の組立作業は、図６、および図７に示すように、移動操作用ボルト２９により係止部材２２をフレーム２１の両側部内側に仮固定し、かつフレーム２１の前後の面を、前後の枠付パネル２および化粧パネル３で挟んだ状態で、それらを床面または適宜の支持台(図示略)上に水平に載置する。
このとき、上下の横杆２０、２０のフランジ２０ａ、２０ａにより、枠付パネル２と化粧パネル３とが両側から挟まれ、かつ各係止部材２２のフック２５ａが、対応する枠付パネル２および化粧パネル３の係止孔３０に嵌合するようにして、枠付パネル２および化粧パネル３の上にフレーム２１と各係止部材２２とを重ね、さらにその上に、別の枠付パネル２および化粧パネル３を、上記と同様にして重ねておく。
【００３３】
次に、移動操作用ボルト２９を、図６、および図７における矢印方向、すなわち各フック２５ａの先端が向く方向に移動させて、フック２５ａを係止孔３０の縁に係合させるとともに、係止部材２２のねじ孔２７を、ねじ挿通孔２３に一致させ、その状態で、固定用ねじＢを、ねじ挿通孔２３を通して、ねじ孔２７に螺合することにより、枠付パネル２および化粧パネル３を、フレーム２１に位置決めして固定する。
【００３４】
その後、枠付パネル２の上端および化粧パネル３の下端を、上下の横杆２０、２０のフランジ２０ａ、２０ａに、固定用ねじＢをもってねじ止めする。
【００３５】
なお、本実施形態では、枠付パネル２および化粧パネル３を、上下方向に離間したそれらに専用の複数の係止部材２２をもって、フレーム２１に装着しているが、上下方向を向く１個の共通の係止部材をもって、枠付パネル２と化粧パネル３とを、フレーム２１に同時に装着するようにしてもよい。
また組立手順としては、枠付パネル２の上端および化粧パネル３の下端を、先に、上下のフランジ２０ａにねじ止めしておき、その後、枠付パネル２および化粧パネル３の両側部を、係止部材２２をもって、フレーム２１に固定してもよい。
【００３６】
図３は、組立完了状態における間仕切パネル１の横断平断面である。図３における右方の縦杆１９の横断面は、外側方に向かって開口する凹状をなし、その内側に、１対のシール部材３１が設けられている。
左方の縦杆１９は、右方の縦杆１９の凹状と補形をなす凸状をなし、これによって隣合う間仕切パネル１、１同士を接合した際に、その凹状部分と凸状部分とが互いに嵌合し合い、両間仕切パネル１、１が、隙間なく配置されるようになっている。
また、左右の縦杆１９、１９の外側面中央部には、固定用ねじＢの頭部を覆うように、ゴム等の弾性体からなる閉塞部材３２が、着脱自在に装着されている。
【００３７】
この実施形態から明らかなように、本発明によると、化粧パネル３のパネル基材３ａにおける枠付パネル２に隣接する上下いずれかの縁に、上下方向外向きの係止片３ｃを連設し、この化粧パネル３に隣接する枠付パネル２における上下部のいずれかのサッシ１６に、係止片３ｃが係合することにより、化粧パネル３と枠付パネル２との前後方向の相対移動を阻止するようにした係合溝１６ｃを設けてあるので、化粧パネル３に設けた係止片３ｃを、隣接する枠付パネル２におけるサッシ１６に設けた係合溝１６ｃに係合させることにより、化粧パネル３と枠付パネル２とを、横桟を設けることなく、互いに連結することができるので、横桟を省略することができ、それによって、部品点数および組み付け工数の削減、並びに製造コストの低減を図ることができる。
【００３８】
本発明は、上記実施形態のみに限定されるものではなく、幾多の変化、変形が可能である。
例えば、上記実施形態の間仕切パネル１を、上下反転させた構造とすることにより、枠付パネル２が化粧パネル３の下方に位置するような配置とすることができる。また、上記実施形態の間仕切パネル１を、左右方向に９０°回動させた構造として実施することもできる。
【図面の簡単な説明】
【００３９】
【図１】本発明の間仕切パネルの一実施形態を、天井に設けたレールに沿って移動するランナに吊支した状態を示す正面図である。
【図２】図１のII-II線に沿う拡大縦断側面図である。
【図３】図１のIII−III線に沿う拡大横断平面図である。
【図４】図２のIV部の拡大縦断側面図である。
【図５】本発明の間仕切パネルの一実施形態の分解斜視図である。
【図６】同じく、組立て途中の状況を示す斜視図である。
【図７】図６におけるVII−VII線に沿う拡大縦断面図である。
【符号の説明】
【００４０】
１  間仕切パネル
２  枠付パネル
２ａパネル基材
３  化粧パネル
３ａパネル基材
３ｂ折曲片
３ｃ係止片
４  天井
５  レール
５ａ、５ｂ  レール受け片
６  ランナ
７  吊りボルト
８  床
９  スペーサ
１０、１１  水平ローラ
１２  隙間閉塞部材
１３  遮蔽板
１４  上部サッシ
１５  縦サッシ
１５ａ突片
１６  下部サッシ
１６ａサッシ部
１６ｂ横桟部
１６ｃ係合溝
１６ｄ当接面
１７  シール材
１８  断熱材
１９  縦杆
２０  横杆
２０ａフランジ
２１  フレーム
２２  係止部材
２３  ねじ挿通孔
２４  長孔
２５  板材
２５ａフック
２６  補強材
２７、２８  ねじ孔
２９  移動操作用ボルト
３０  係止孔
３１  シール部材
３２  閉塞部材
Ｂ  固定用ねじ
【図１】
0004981583.tif 000002
【図２】
0004981583.tif 000003
【図３】
0004981583.tif 000004
【図４】
0004981583.tif 000005
【図５】
0004981583.tif 000006
【図６】
0004981583.tif 000007
【図７】
0004981583.tif 000008